(57)【要約】【課題】複数の開閉蓋を有する電子機器であって、一方の蓋の閉止が確実になされ、収納物の飛び出しが防止でき、構造も簡単な電子機器を提供すること。【解決手段】電子機器１には、機器本体１ａの角部であるＸ面とＹ面に沿って電池収納室開閉用の電池蓋２とメモリカード収納室開閉用のカード蓋３とが配置されており、電池蓋２は、回動軸４により回動自在に支持され、カード蓋３は、回動軸５に回動自在に、かつ、回動軸５に対して直交する方向にスライド移動可能に支持される。閉位置にある電池蓋２の係合穴２ａに閉位置にあるカード蓋３の係合爪３ａを嵌入させるようにして、カード蓋３と電池蓋２とがともに閉位置にある状態では、電池蓋２は、開放できず、電池の飛び出しが防止される。カード蓋３２を外方にスライド移動させて上記係合を解放し、開放状態とすれば、電池蓋２を開放させることができる。【選択図】図７
2006032441.tif 000002
【特許請求の範囲】
【請求項１】
電子機器の一面に配置された第一の回動軸に軸着され、上記電子機器の一面にある第一の部分を開閉可能とする第一の開閉蓋と、
蓋部材であって、上記電子機器の他の面に配置された第二の回動軸に軸着され、、上記電子機器の他の面にある第二の部分を開閉可能とし、上記第一の開閉蓋が閉じ状態にあって、この蓋部材も閉じ状態にあるときこの蓋部材が上記第一の開閉蓋に係合し、上記第一の開閉蓋の開方向への回動を規制する第二の開閉蓋と、
を有したことを特徴とする複数の開閉蓋を有する電子機器。
【請求項２】
上記電子機器の上記一面と上記他の面とは互いに交差する面であることを特徴とする上記請求項１に記載の複数の開閉蓋を有する電子機器。
【請求項３】
上記第二の開閉蓋は自身が上記閉じ状態にあるとき、上記他の面に沿って移動して上記係合の解除を行なうことを特徴とする上記請求項１、または、２に記載の複数の開閉蓋を有する電子機器。
【発明の詳細な説明】
【技術分野】
【０００１】
本発明は、複数の開閉蓋を有する電子機器に関する。
【背景技術】
【０００２】
従来のカメラ等の電子機器において、例えば、電池装填用とフィルム、または、メモリカード等の媒体着脱用、あるいは、接続端子保護用の蓋を必要とする場合があり、単一の開閉蓋を有し、その開閉蓋を開閉することによりいずれかの着脱操作を行うものと、１つの開閉蓋の内側にさらに電池用として中蓋を別途に設けたもの等がある。
【発明の開示】
【発明が解決しようとする課題】
【０００３】
上述した従来のカメラ等の電子機器の電池装填用およびカード着脱用の蓋として単一の開閉蓋を適用するものの場合は、カードのみを取り出したいときに上記開閉蓋を開くと、電池も出でしまう可能性があって、取り扱いに問題があた。通常、カード収納部には、ロック機構が組み込まれているが電池収納部には汎用性上、ロック機構が組み込まれないものもあるため、蓋が開放されると電池が外方に飛び出る可能性がある。
【０００４】
また、開閉蓋に対して別途に中蓋を設けたものでは、上記中蓋は、当然ながら外側の開閉蓋より小さくなる。従って、上記中蓋の開閉操作がしずらい。
【０００５】
一方、電池蓋に関して蓋の固定保持が緩すぎると、機器が落下したとき、その衝撃で蓋が開いて、電池が飛び出す可能性がある。しかし、該電池蓋の固定保持が固いと電池の交換時、作業性が悪い。このように蓋の適切な固定保持力を設定することは、微妙であり、難しい。
【０００６】
本発明は、上述の問題を解決するためになされたものであり、複数の開閉蓋を有する電子機器において、一方の蓋の閉止が確実になされ、収納物の飛び出しが防止でき、構造も簡単である電子機器を提供することを目的とする。
【課題を解決するための手段】
【０００７】
本発明の請求項１に記載の複数の開閉蓋を有する電子機器は、上記電子機器の一面に配置された第一の回動軸に軸着され、上記電子機器の一面にある第一の部分を開閉可能とする第一の開閉蓋と、蓋部材であって、上記電子機器の他の面に配置された第二の回動軸に軸着され、上記電子機器の他の面にある第二の部分を開閉可能とし、上記第一の開閉蓋が閉じ状態にあって、この蓋部材も閉じ状態にあるとき、この蓋部材が上記第一の開閉蓋に係合し、上記第一の開閉蓋の開方向への回動を規制する第二の開閉蓋とを有する。
【０００８】
本発明の請求項２に記載の複数の開閉蓋を有する電子機器は、請求項１に記載の複数の開閉蓋を有する電子機器において、上記電子機器の上記一面と上記他の面とは互いに交差する面である。
【０００９】
本発明の請求項３に記載の複数の開閉蓋を有する電子機器は、請求項１、または、２に記載の複数の開閉蓋を有する電子機器において、上記第二の開閉蓋は自身が上記閉じ状態にあるとき、上記他の面に沿って移動して上記係合の解除を行う。
【発明の効果】
【００１０】
本発明によれば、複数の開閉蓋を有する電子機器において、蓋の閉止が確実に行え、収納物の飛び出しが防止でき、構造も簡単である複数の開閉蓋を有する電子機器を提供することができる。
【発明を実施するための最良の形態】
【００１１】
以下、図を用いて本発明の実施形態について説明する。  
図１は、本発明の一実施形態の電子機器のカード蓋・電池蓋閉止状態での外観を示す斜視図である。図２〜６は、上記電子機器におけるカード蓋・電池蓋の開放過程とメモリカードおよび電池の取り出し過程とを示す斜視図であり、そのうち、図２は、カード蓋をスライドさせた状態を示し、図３は、上記カード蓋を開放し、電池蓋の係止を解放した状態を示し、図４は、カード蓋を完全開放してメモリカードのロックを解放させ、かつ、電子蓋を開放した状態を示し、図５は、メモリカードを取り出し、かつ、電池蓋を完全開放した状態を示し、図６は、電池を取り出した状態を示している。図７は、上記電子機器におけるカード蓋開放状態での部分拡大斜視図である。図８は、上記電子機器の閉止状態でのカード蓋・電池蓋まわりの横断面図（Ｘ，Ｙ断面）である。図９は、図８の状態からカード蓋を＋Ｙ方向にスライド移動させた状態を示す横断面図（Ｘ，Ｙ断面）である。
【００１２】
本実施形態の電子機器１は、例えば、デジタルカメラ等であって、電池と記録媒体であるメモリカードとが着脱可能な電子機器である。この電子機器１は、図１，８等に示すように外表の一面であるＸ面と該面に直交する外表の他の面であるＹ面とからなる角部をもつ機器本体１ａを有しており、その機器本体１ａ内には電池収納室１ｃおよびカード収納室１ｄが空間的には交差しないが、平面投影上は重なるように配置されている。そして、Ｘ面に沿って第一の開閉蓋である電池蓋２と、Ｙ面に沿って第二の開閉蓋であるカード蓋３とが配置されている。
【００１３】
電池収納室１ｃは第一の部分である電池挿入口１c0を有し、電池８がＹ方向に沿って装填可能である。カード収納室１ｄは第二の部分であるメモリカード挿入口１d0を有し、記録媒体であるメモリカード９がＸ方向に沿って装填可能である。
【００１４】
電池蓋２は、閉状態では、Ｘ面に沿って配置されており、機器本体１ａのＸ面と平行に配置された第一の回動軸である回動軸４まわりのＤ1 方向（図４）の回動可能に支持される。電池蓋２には、図７，８に示すように先端側突出部に係合穴２ａとクリック爪２ｂとが設けられる。係合穴２ａは、閉状態にあるとき、後述するカード蓋３の係合爪３ａと係合して電池蓋２を閉位置にロック保持する。また、クリック爪２ｂは、機器本体１ａのクリック凹部１ｂに係合可能であり、電池蓋２を閉位置でクリック保持する。
【００１５】
この電池蓋２は、回動軸４の近傍位置に配される電池収納室１ｃの電池挿入口１c0を開閉可能とする。
【００１６】
カード蓋３は、閉状態では、Ｙ面に沿って配置されており、機器本体１ａのＹ面と平行に配置された第二の回動軸である回動軸５まわりのＤ2 方向（図３）に回動可能に支持され、かつ、回動軸と直交する方向（閉状態でＹ方向）に所定量だけスライド移動可能である。このカード蓋３は、回動軸５の近傍位置に配されるカード収納室１ｄの第二の部分であるカード挿入口１d0を開閉可能である。
【００１７】
図７，８に示すように、回動軸５は、機器本体１ａに固着された軸支持板６に支持されている。回動軸５には、回動板７が回動自在に支持されている。カード蓋３は、回動板７により回動軸５とカバー蓋３の直交方向のスライド溝３ｄに嵌入した状態でスライド自在に支持されている。カード蓋３が回動軸５側（＋Ｙ方向）に位置している状態では、カード蓋３のクリック凸部３ｃが回動板７に設けられる弾性変形可能な山形状のクリック片部７ｃに係合してクリック保持されている。
【００１８】
カード蓋３を上記クリック保持力に抗して反回動軸側（−Ｙ方向）にスライドさせると、図９に示すようにクリック凸部３ｃを乗り越えて所定量移動し、カード蓋３のストッパ３ｂが回動板７の内側縁面７ｂに当接する。カード蓋３の先端部には、回動軸側に向けて凸状の係合爪３ａが設けられ、この係合爪３ａは、蓋閉状態（＋Ｙ方向側に位置している状態）で電池蓋２の係合穴２ａに係合し、上述したようにカード蓋３を閉状態にロック保持する。
【００１９】
上述した構成を有する本実施形態の電子機器１におけるカード蓋，電池蓋の開閉およびメモリカード，電池の着脱動作について、図１〜６，８，９等を用いて説明する。  
電池８およびメモリカード９がそれぞれの収納室１ｃ，１ｄに装填収納され、電池蓋２，カード蓋３が共に閉状態にあるときは、図１，８に示すように電池蓋２は、クリック爪２ｂが本体側に係合し、かつ、カード蓋３の係合爪３ａと係合穴２ａとの係合によってロックされているので開放不可の状態に保持されている。同じくカード蓋３は、係合爪３ａが電池蓋２の係合穴２ａに嵌入しており、閉位置に保持されている。
【００２０】
装填されているメモリカード９，電池８を電子機器１から取り出す場合、図１，８に示す蓋閉止状態からカード蓋３を回動板７のクリック片部７ｃのクリック力に抗して−Ｙ方向にスライド移動させ、係合爪３ａを電池蓋２の係合穴２ａから外す（図２，９の状態）。この状態でカード蓋３は、Ｄ2 方向（開放方向）に回動させることができる（図３）。
【００２１】
図４に示すようにカード蓋３を完全に開放位置まで回動させ、メモリカード９を押圧操作すると該カード９は、カード収納室１ｄから−Ｘ方向の外方に取り出すことができる。
【００２２】
図３，４に示すカード蓋３の開放状態では、電池蓋２は、カード蓋３の係合爪３ａによる係合穴２ａのロックが外れているので開放回動が可能な状態になっている。そこで、電池蓋２をＤ1 方向（開放方向）に回動させて、クリック爪２ｂが本体クリック凹部１ｂとの係合から解放し、図５に示す開放位置まで回動する。この状態で図６に示すように電池８は、電池収納室１ｃから−Ｙ方向の外方に取り出すことができる。
【００２３】
なお、電池８，メモリカード９を装填する場合は、図６の状態から上述の動作と逆の動作を行うことによって図１に示す電池，メモリカード装填収納状態で電池蓋２，カード蓋３を図２の閉状態とすることができる。
【００２４】
上述した本実施形態の電子機器１によると、閉位置にあるカード蓋３が保護部材となって電池蓋２を確実に閉止状態に保持するので、蓋閉止状態では、衝撃等で電池蓋２が開いて電池８が不用意に飛び出すといったことが防止される。なお、電池８の着脱よりもメモリカード９の着脱の方が頻度が高いので、カード蓋３の方を保護用として機能させても不都合が生じない。
【００２５】
また、電池蓋２，カード蓋３共にそれぞれの収納室の挿入口を覆う必要なサイズを採用でき、それぞれの蓋のクリック操作力もそれぞれ別途に適切な力に設定できるので、操作がしやすい。さらに、配置スペ−スも機器本体の角部のスペ−スを利用することが可能であり、機器のコンパクト化にも効果がある。また、電池蓋２には係合穴２ａを有する外方突出部分が設けられており、この突出部が電池蓋２を開放するための指を掛ける操作部分として機能するので、別に電池蓋操作部を設ける必要がなく、構成が簡単になる。
【００２６】
次に、前記実施形態の電子機器１におけるカード蓋支持機構部の変形例について、上記変形例の機構部の断面図である図１０を用いて説明する。  
本変形例においては、カード蓋とその支持機構部以外は、実施形態のものと同様であり、同様の構成部材には、同一の符号を付し、以下、異なる部分について説明する。
【００２７】
この変形例のカード蓋１３は、図１０に示すようにＹ面に沿った回動軸１５に駆動自在に支持されるが、回動軸１５を支持する軸支持板１６が機器本体１ａのＹ面と平行に形成されたスライド溝１ｇに摺動自在に嵌入しており、Ｙ方向にスライド可能とする。
【００２８】
軸支持板１６は、回動軸１５の軸支部の他に弾性変形可能な山形状のクリック片部１６ｆと、内側縁部１６ｅとを有している。クリック片部１６ｆは、カード蓋１３が＋Ｙ方向に移動した閉位置にあるときは、機器本体１ａのクリック凹部１ｆに係合しており、カード蓋１３が閉位置にクリック保持される。閉状態にあるカード蓋１３を−Ｙ方向にスライド操作すると、カード蓋１３は、回動軸１５，軸支持板１６と共に−Ｙ方向に移動し、軸支持板１６のクリック片部１６ｆがクリック凹部１ｆから脱出して、内側縁部１６ｅが機器本体側のストッパ１ｅに当接して、開放可能な位置に達する。その状態でカード蓋１３は、開放方向のＤ2 方向に回動可能となる。
【００２９】
本変形例のカード蓋支持機構部を組み込んだ電子機器におけるカード蓋，電池蓋の開閉およびメモリカード，電池の着脱動作は、前記実施形態の場合と同様の動作となる。
【００３０】
また、本変形例のカード蓋支持機構を適用した電子機器は、前記実施形態による効果と同様の効果を奏し、特に、カード蓋１３の内側に軸支持板がなく、メモリカードの着脱がやりやすくなる。
【００３１】
なお、上述した実施形態および変形例における保護用の蓋（第二の開閉蓋）であるカード蓋に替えて端子部をカバーする端子蓋や外観上必要となる蓋などを適用しても同様な効果が得られる。
【００３２】
また、上述した実施形態および変形例においては、図１に示すように電池蓋とカード蓋とが機器本体１のＸ面，Ｙ面に沿って配置されたが、これらの面に限らず他の直交する面に配置することも可能である。また、それらの２つの面は、必ずしも直交している面でなくてもよく、ある角度で交差した面であってもよい。
【００３３】
さらに、上述した実施形態および変形例においては、保護用の蓋（第二の開閉蓋）としてのカード蓋は、スライド後、回動して開放され、保護される側の蓋（第一の開閉蓋）としての電池蓋は、回動して開放されるように構成されているが、本発明においては、これらの駆動方法に限定することなく、他の駆動方法で蓋の開閉を行う構成であってもよく、閉状態において保護用の蓋であるカード蓋によって電池蓋の開放移動をロックする構成であれば、同様の効果を得ることができる。
【産業上の利用可能性】
【００３４】
本発明の電子機器は、複数の開閉蓋を有する電子機器であって、一方の蓋の閉止が確実になされ、電池等の収納物の飛び出しが防止でき、構造も簡単な電子機器として利用することが可能である。
【図面の簡単な説明】
【００３５】
【図１】本発明の一実施形態の電子機器のカード蓋・電池蓋閉止状態での外観を示す斜視図である。
【図２】図１の電子機器におけるカード蓋・電池蓋の開放過程とメモリカードおよび電池の取り出し過程のうち、カード蓋をスライドさせた状態の斜視図である。
【図３】図１の電子機器におけるカード蓋・電池蓋の開放過程とメモリカードおよび電池の取り出し過程のうち、カード蓋を開放した状態の斜視図である。
【図４】図１の電子機器におけるカード蓋・電池蓋の開放過程とメモリカードおよび電池の取り出し過程のうち、カード蓋を完全開放してメモリカードのロックを解放させ、かつ、電池蓋を開放した状態の斜視図である。
【図５】図１の電子機器におけるカード蓋・電池蓋の開放過程とメモリカードおよび電池の取り出し過程のうち、メモリカードを取り出し、かつ、電池蓋を完全開放した状態の斜視図である。
【図６】図１の電子機器におけるカード蓋・電池蓋の開放過程とメモリカードおよび電池の取り出し過程のうち、電池を取り出した状態の斜視図である。
【図７】図１の電子機器におけるカード蓋開放状態での部分拡大斜視図である。
【図８】図１の電子機器における蓋閉止状態でのカード蓋・電池蓋まわりの横断面図（Ｘ，Ｙ断面）である。
【図９】図１の電子機器において、図８の状態から上記カード蓋を−Ｙ方向にスライド移動させた状態を示す横断面図（Ｘ，Ｙ断面）である。
【図１０】図１の電子機器のカード蓋支持機構部に対する変形例としてのカード蓋支持機構部の断面図である。
【符号の説明】
【００３６】
１c0…電池挿入口（第一の部分）
１d0…カード挿入口（第二の部分）
２  …電池蓋（第一の開閉蓋）
３  …カード蓋（第二の開閉蓋）
４  …回動軸（第一の回動軸）
５  …回動軸（第二の回動軸）
Ｘ面…一面
Ｙ面…他の面
代理人      弁理士    伊  藤    進
【図１】
2006032441.tif 000003
【図２】
2006032441.tif 000004
【図３】
2006032441.tif 000005
【図４】
2006032441.tif 000006
【図５】
2006032441.tif 000007
【図６】
2006032441.tif 000008
【図７】
2006032441.tif 000009
【図８】
2006032441.tif 000010
【図９】
2006032441.tif 000011
【図１０】
2006032441.tif 000012